(57)【要約】      （修正有）【課題】簡易に組み立てることができ、強度においても優れた、野外や避難所で用いられる簡易なトイレを提供する。【解決手段】トイレ１は、開閉可能な蓋体２と、開口部３を有する便器台４と、便器台４の開口部３の内部に配置される収集袋５と、を備える。蓋体２は便座６の後側において回動可能に軸支し、上下方向に開閉可能とする。収集袋５は尿や大便が収容される使いきりの、たとえばビニル製の袋である。該収集袋５は、便座６を覆いつつ便器台４の開口部３の下側に形成される収納空間内に配置する。使用者は、収集袋５によって被覆された便座６の上に座り、尿や大便を排泄する。排泄された尿や大便は、収納空間内に配置される収集袋５の内部に収容される。【選択図】図２
0003171278.tif 000002
【実用新案登録請求の範囲】
【請求項１】
筒型の便器本体と、
前記便器本体の筒内に配置される内枠と、
前記便器本体の一方の開口部に配置される便座と、
前記便座の開口部を開閉する蓋体と、
を有し、
前記内枠は、格子状に組まれている、
ことを特徴とするトイレ。
【請求項２】
請求項１に記載のトイレにおいて、
前記内枠は、平板状の板体を用いて格子状に組まれており、前記格子の開口方向が上下方向に向けて配置されている、
ことを特徴とするトイレ。
【請求項３】
請求項１または２に記載のトイレにおいて、
前記内枠は段ボールから形成され、該段ボールの中芯の貫通方向が上下方向に沿って配置されている、
ことを特徴とするトイレ。
【請求項４】
請求項１から３のいずれか１項に記載のトイレにおいて、
前記便座は、複数の段ボールを重ねて配置することにより構成され、少なくとも１対となる２枚の段ボールの中芯は、その貫通方向が交差するように配置されている、
ことを特徴とするトイレ。
【請求項５】
請求項１から４のいずれか１項に記載のトイレにおいて、
前記蓋体は、２枚以上の段ボールを積層して構成されている、
ことを特徴とするトイレ。
【請求項６】
請求項１から５のいずれか１項に記載のトイレにおいて、
前記便器本体は、両面段ボールにより構成され、前記内枠は複両面段ボールまたは複々両面段ボールにより構成されている、
ことを特徴とするトイレ。
【請求項７】
請求項１または６のいずれか１項に記載のトイレにおいて、
前記内枠と前記便器本体の内側面との間には、物品収納用の空間が形成されている、
ことを特徴とするトイレ。
【請求項８】
請求項１から７のいずれか１項に記載のトイレにおいて、
前記便器本体は、開口方向から見て８角形の筒型形状を有している、
ことを特徴とするトイレ。
【考案の詳細な説明】
【技術分野】
【０００１】
本考案は、トイレに関する。
【背景技術】
【０００２】
従来から、野外や避難所で用いられる簡易トイレとして、特許文献１に開示されているものが知られている。特許文献１に開示されている簡易トイレは、板紙または段ボール製の平らなカートンブランクを組み立てることにより構成される。
【先行技術文献】
【特許文献】
【０００３】
【特許文献１】特表２０１０−５２７６７２号公報（発明の詳細な説明）
【考案の概要】
【考案が解決しようとする課題】
【０００４】
しかしながら、特許文献１に開示されている簡易トイレは、平らなカートンブランクを箱形状に組み立てることによって形成される。一般に、このような箱形状の簡易トイレは、強度的には弱く、便座に大きな荷重がかかった場合に、その荷重に耐えることができず形状が変形してしまうといった問題が生じる。
【０００５】
本考案は、かかる問題に鑑みてなされたものであり、その目的とするところは、簡易に組み立てることができ、強度においても優れたトイレを提供しようとするものである。
【課題を解決するための手段】
【０００６】
上記課題を解決するために、本考案の一側面は、筒型の便器本体と、便器本体の筒内に配置される内枠と、便器本体の一方の開口部に配置される便座と、便座の開口部を開閉する蓋体と、を有し、内枠は、格子状に組まれているものである。
【０００７】
また、内枠は、平板状の板体を用いて格子状に組まれており、格子の開口方向が上下方向に向けて配置されていることが好ましい。
【０００８】
また、内枠は段ボールから形成され、該段ボールの中芯の貫通方向が上下方向に沿って配置されていることが好ましい。
【０００９】
また、便座は、複数枚の段ボールを重ねて配置することにより構成され、少なくとも１対となる２枚の段ボールの中芯は、その貫通方向が交差するように配置されることが好ましい。
【００１０】
また、蓋体を２枚以上の段ボールを積層して構成することが好ましい。
【００１１】
また、便器本体を両面段ボールにより構成し、内枠を複両面段ボールまたは複々両面段ボールにより構成することが好ましい。
【００１２】
また、内枠と便器本体の内側面との間には、物品収納用の空間が形成されていることが好ましい。
【００１３】
また、便器本体は、開口方向から見て８角形の筒型形状を有していることが好ましい。
【考案の効果】
【００１４】
本考案によると、簡易に組み立てることができるとともに、強度においても優れたトイレを提供することができる。
【図面の簡単な説明】
【００１５】
【図１】本考案の一実施の形態に係るトイレの構成を示す斜視図であり、蓋体が閉じた状態を示す図である。
【図２】本考案の一実施の形態に係るトイレの構成を示す斜視図であり、蓋体が開いた状態を示す図である。
【図３】図２中のトイレから収集袋を取り除いた便器台の構成を示す斜視図である。
【図４】図３中の便器台から便座を取り除いた状態を示す平面図である。
【図５】図３中の便器台から便座を取り除いた状態を示す斜視図である。
【図６】図４に示す便座を除いた便器台の構成を示す分解斜視図である。
【図７】段ボールの種類を説明するための図であり、上段は両面段ボールの断面図であり、中段は複両面段ボールの断面図であり、下段は複々両面段ボールの断面図である。
【図８】蓋体が開いた状態での内枠の構成を示す斜視図である。
【図９】図６中の内枠の分解斜視図である。
【図１０】図３中の便座の構成を示す平面図であり、上段は中芯が縦方向に沿って貫通するように配置されている便座を示す図であり、下段は中芯が横方向に沿って貫通するように配置されている便座を示す図である。
【図１１】図３中の蓋体の構成を示す平面図である。
【考案を実施するための形態】
【００１６】
以下、本考案の一実施の形態に係るトイレ１について、図面を参照しながら説明する。なお、以下の実施の形態の説明において、図１〜６図および図８〜図１１に示す矢示Ｘ１方向を「前」、矢示Ｘ２方向を「後（後ろ）」、Ｘ１方向とＸ２方向の両方向に対し水平方向で直交する方向となる矢示Ｙ１方向を「左」、矢示Ｙ２方向を「右」、ＸＹ平面と直交する矢示Ｚ１方向を「上」および矢示Ｚ２方向を「下」とそれぞれ規定する。
【００１７】
図１は、本考案の一実施の形態に係るトイレ１の構成を示す斜視図であり、蓋体２が閉じた状態を示す図である。図２は、本考案の一実施の形態に係るトイレ１の構成を示す斜視図であり、蓋体２が開いた状態を示す図である。図３は、図２中のトイレ１から収集袋５を取り除いた便器台４の構成を示す斜視図である。
【００１８】
図１および図２に示すトイレ１は、たとえば、避難所や野外に設置され、または、近くに公衆トイレが無い場合等の緊急時の際に用いることができる組み立て式の簡易トイレである。トイレ１は、段ボールから形成されているため、軽量でありかつ組み立て易く、持ち運びにも便利である。
【００１９】
図１および図２等に示すように、トイレ１は、開閉可能な蓋体２と、開口部３を有する便器台４と、便器台４の開口部３の内部に配置される収集袋５と、を備えている。図３に示すように、蓋体２は便座６の後側において回動可能に軸支されることで上下方向に開閉可能とされている。収集袋５は尿や大便が収容される使いきりの、たとえばビニル製の袋である。該収集袋５は、便座６を覆いつつ便器台４の開口部３の下側に形成される収納空間７（図４参照）内に配置される。
【００２０】
使用者は、図２に示す収集袋５によって被覆された便座６の上に座り、尿や大便を排泄する。排泄された尿や大便は、収納空間７内に配置される収集袋５の内部に収容される。尿や大便が一定量以上に溜まった場合、あるいは１回の使用毎に収集袋５を新しいものに取り換えることで、トイレ１の繰り返しの使用が可能となる。
【００２１】
図４は、図３中の便器台４から便座６を取り除いた状態を示す平面図である。図５は、図３中の便器台４から便座６を取り除いた状態を示す斜視図である。図６は、図５に示す便座６を除いた便器台４の構成を示す分解斜視図である。図７は段ボールの種類を説明するための図であり、上段は両面段ボールの断面図であり、中段は複両面段ボールの断面図であり、下段は複々両面段ボールの断面図である。
【００２２】
図１から図６に示すように、トイレ１は、上下が開口した筒型の便器本体８と、便器本体８の下側の開口部を塞ぐ底板１０と、便器本体８の筒内に配置される内枠１１と、便器本体８の上方に配置される便座６と、便座６を覆う形態で収納空間７内に配置される収集袋５と、便器台４（便座６）に形成される開口部３を開閉する蓋体２と、を有する。
【００２３】
図６等に示すように、便器本体８は、８角形の断面を有する筒形状を呈している。該筒形状は前後方向の寸法が左右方向の寸法よりも大きな寸法を有するように形成されている。また、図６に示すように、便器本体８はその前後左右に４つの略平板状の幅広板１３Ａ〜１３Ｄを有しており、各幅広板１３Ａ〜１３Ｄの上端における長手方向の略中央には上方に向かって突出する嵌込部１４Ａ〜１４Ｄが設けられている。各幅広板１３Ａ〜１３Ｄの間には、幅広板１３Ａ〜１３Ｄと比較して幅が狭い４つの幅狭板１８が介在され便器本体８を８角形の筒形状に形成している。幅狭板１８は、幅狭板１８の両側に配置される幅広板１３Ａ〜１３Ｄに対して斜めに配置されている。
【００２４】
ここで、左右に位置する幅広板１３Ｃ，１３Ｄは前後に位置する幅広板１３Ａ，１３Ｂよりも大きな幅寸法を有する。嵌込部１４Ａ〜１４Ｄは矩形状の形態を有しており、左右の幅広板１３Ｃ，１３Ｄに形成される嵌込部１４Ｃ，１４Ｄは、前後の幅広板１３Ａ，１３Ｂに形成される嵌込部１４Ａ，１４Ｂよりも若干大きな幅寸法を有する。また、図６等に示すように、幅広板１３Ａとその左右に配置される幅狭板１８との境界部１９Ａ，１９Ｂには、その上端部から下方に向かって切り欠かれた２つの切り欠き１３Ｅ，１３Ｅが形成されている。さらに、幅広板１３Ｂとその左右に配置される幅狭板１８との境界部１９Ｃ，１９Ｄにも、その上端部から下方に向かって切り欠かれた２つの切り欠き１３Ｆ，１３Ｆが形成されている。また、便器本体８における、幅広板１３Ｃの前後にも幅狭板１８との間に境界部１９Ｅ，１９Ｆが形成されるとともに、幅広板１３Ｄの前後にも幅狭板１８との間に境界部１９Ｇ，１９Ｈが形成されている。各切り欠き１３Ｅ，１３Ｆの上方の開口部における左右両側には、左右方向外側に向かってテーパ状に切り欠かれたテーパ部１３Ｇが形成されている。
【００２５】
便器本体８は、段ボールから形成されており、その中芯９ａ（図７参照）は上下方向に沿って該段ボールを貫通するように配置されている。このため、便器本体８の上下方向に対する強度が高いものとなっている。また、便器本体８を８角形の筒形状とすることで、たとえば、便器本体８を四角型の筒形状とする場合に比べて便器台４の強度を高めることができる。また、前側の左右に幅狭板１８が設けられることで、使用者がトイレ１に座ったときに、足が便器本体８に当たり難くなり使用者の座り心地を良くすることができる。便器本体８を形成する段ボールの種類としては、たとえば、図７上段に示す、断面が波状の中芯９ａの両面に平面状のライナー９ｂ，９ｂが貼り合わされた両面段ボール、図７中段に示す、ライナー９ｂを介して中芯９ａを２層に積層させた複両面段ボール、および、図７下段に示す、２つのライナー９ｂを介して中芯９ａを３層に積層させた複々両面段ボールを挙げることができる。便器本体８は、図７上段に示す両面段ボールにより構成されている。しかしながら、便器本体８を図７中段および下段に示す複両面段ボールや複々両面段ボールにより構成するようにしても良い。このように構成することで、便器本体８の強度を向上させることができる。
【００２６】
また、図６等に示すように、便器本体８の下側には底板１０が配置される。該底板１０は、便器本体８の開口部に対応する大きさに形成されており、略矩形状の形態を有している。具体的には、底板１０は、略矩形状の矩形部１５と、該矩形部１５の前後の端面における長手方向中央から上方に向かって突出する短嵌り部１６，１６と、該矩形部１５の左右の端面における長手方向中央から上方に向かって突出する長嵌り部１７，１７と、を有する。短嵌り部１６，１６と比較して長嵌り部の方が幅広に形成されているが、長嵌り部１７，１７と短嵌り部１６，１６との高さ寸法は同じに形成されている。具体的には、短嵌り部１６，１６および長嵌り部１７，１７は、トイレ１の組み立て前においては、矩形部１５から横方向に向かって突出するように該矩形部１５と一体となって平面状に形成されており、該短嵌り部１６，１６および長嵌り部１７，１７を内側に向かって谷折りすることによって、短嵌り部１６，１６および長嵌り部１７，１７が上方に向かって突出する形状に形成される。
【００２７】
図４から図６に示すように、底板１０は、短嵌り部１６，１６および長嵌り部１７，１７が便器本体８の内側に嵌まり込む形態で、該便器本体８の下側の開口部に配置される。このため、底板１０を便器本体８の下側に配置することによって、便器本体８は上方のみが開口した箱体となる。ここで、短嵌り部１６，１６の幅寸法と、前後の幅広板１３Ａ，１３Ｂの幅寸法は略同一に形成されている。また、長嵌り部１７，１７の幅寸法と、左右の幅広板１３Ｃ，１３Ｄの幅寸法は略同一に形成されている。図１から図５に示すように、便器本体８と底板１０とを組み合わせた状態では、底板１０の四つ角１０Ａは、８角形の筒形状を呈する便器本体８から幅狭板１８の外側に向かって露出する。つまり、便器本体８は、底板１０の上面に載置されている。角１０Ａが幅狭板１８の外側に向かって露出することで、便器本体８を底板１０の上面に確実に載置することができる。なお、底板１０は、両面段ボールにより構成されているが、複両面段ボールや複々両面段ボールにより構成するようにしても良い。このように構成することで、底板１０の強度を向上させることができる。
【００２８】
図８は、蓋体２が開いた状態での内枠１１の構成を示す斜視図である。図９は、図６中の内枠１１の分解斜視図である。
【００２９】
図４から図６に示すように、内枠１１は上から見て井形状の格子形状を呈している。具体的には、内枠１１は、平板を前後および左右に交差するように配置させた形態を有している。このような構成により、内枠１１は、前方に向かって対向するように延出する２つの前鍔１１ａ，１１ａと、後方に向かって対向するように延出する２つの後鍔１１ｂ，１１ｂを有する。また、内枠１１は、左方に向かって対向するように延出する２つの左鍔１１ｃ，１１ｃと、右方に向かって対向するように延出する２つの右鍔１１ｄ，１１ｄを有する。図４に示すように、内枠１１は上方に向かって格子が開口する形態で便器本体８の内部に配置される。内枠１１のうち中央の四角形に囲まれた開口部は収集袋５が配置される収納空間７となる。そして、内枠１１における当該収納空間７は、尿や大便が収容されるスペースとして使用される。
【００３０】
この内枠１１は、板体となる２枚の横板２０と２枚の縦板２１とから構成されている。図８および図９等に示すように、横板２０は、左右方向に対して平行に前後に２枚並べられている。また、縦板２１は、前後方向に対して平行に左右に２枚並べられている。図９に示すように、横板２０は略矩形状の平板であり、その下方には２つの切り込み２０ａが形成されている。切り込み２０ａは、横板２０の下端面において左右両側から所定の寸法を隔てた位置から上方に向かって２つ設けられている。該切り込み２０ａは、横板２０の上下方向略中央に至るまで切り込まれている。また、切り込み２０ａの下方の開口部における左右両側には、左右方向外側に向かってテーパ状に切り欠かれたテーパ部２０ｂが形成されている。
【００３１】
縦板２１は略矩形状の平板であり、縦板２１によって形成される後鍔１１ｂ，１１ｂの上部には蓋体２を軸支するための支持部２２が設けられている。支持部２２は、後鍔１１ｂ，１１ｂの上部から後方に膨らみながら上方に向かって延出している。該支持部２２の前端側には下方に向かって略逆Ｌ字状に切り欠かれた切欠部２２ａが形成されている。そして、支持部２２における切欠部２２ａの下側には、該支持部２２を左右方向に貫通する円孔２２ｂが設けられている。また、縦板２１の上方には２つの切り込み２１ａが形成されている。該切り込み２１ａは、縦板２１の上端面において前後両側から所定の寸法を隔てた位置から下方に向かって２つ設けられている。該切り込み２１ａは、縦板２１の上下方向略中央に至るまで切り込まれている。また、切り込み２１ａの上方の開口部における前後両側には、前後方向外側に向かってテーパ状に切り欠かれたテーパ部２１ｂが形成されている。
【００３２】
横板２０と縦板２１は、それらを前後および左右に交差するように配置させ、切り込み２０ａおよび切り込み２１ａを介して、互いに嵌め合わされる。具体的には、前後に並べられた各横板２０の２つの切り込み２０ａと左右に並べられた２つの縦板２１の対向する一対の切り込み２１ａとを介して、横板２０と縦板２１とが互いに嵌め合わされる。横板２０と縦板２１とが互いに嵌め合わされた状態では、切り込み２０ａの上端部と切り込み２１ａの下端部とが当接している。また、切り込み２０ａには、縦板２１において切り込み２１ａよりも下方に位置する平板部分２１ｃが嵌り込むとともに、切り込み２１ａには、横板２０において切り込み２０ａよりも上方に位置する平板部分２０ｃが嵌まり込む。また、切り込み２０ａおよび切り込み２１ａは、それぞれ横板２０および縦板２１の略中央部分に至るように形成されているため、横板２０と縦板２１を嵌め合わせて形成された枠体１１を構成する横板２０と縦板２１の上端面および下端面は略面一となる。
【００３３】
上述したように、内枠１１は便器本体８の内部に配置される。この際、支持部２２の下方部分は便器本体８に設けられる後方の２つの切り欠き１３Ｆ，１３Ｆに嵌まり込んだ状態となる。図４および図５に示すように、支持部２２は、切り欠き１３Ｆ,１３Ｆに嵌まり込むことで、便器本体８から後方かつ上方に向かって突出した状態が維持される。また、支持部２２は、切り欠き１３Ｆ,１３Ｆに嵌まり込むことで、左右方向へ強度が向上させられる。
【００３４】
また、内枠１１を便器本体８の内部に配置した状態では、前方に配置される横板２０の左右の端面はそれぞれ境界部１９Ｅ,１９Ｇの内側面と当接するとともに、後方に配置される横板２０の左右の端面はそれぞれ境界部１９Ｆ,１９Ｈの内側面と当接する。また、左方に配置される縦板２１の前後の端面はそれぞれ境界部１９Ｂ,１９Ｄの内側面と当接するとともに、右方に配置される縦板２１の前後の端面はそれぞれ境界部１９Ａ,１９Ｃの内側面と当接する。このように、内枠１１の各鍔１１ａ〜１１ｄが便器本体８の各境界部１９Ａ〜１９Ｈの内側面に当接するような構成とされているため、便器本体８が８角形の状態を確実に維持できることとなる。すなわち、便器本体８の強度の向上が図られる。
【００３５】
上述のように各鍔１１ａ〜１１ｄが境界部１９Ａ〜１９Ｈの内側面に当接するような構成により、底板１０を便器本体８の下側に配置した状態では、図４および図５に示すように、短嵌り部１６，１６は、前鍔１１ａ，１１ａおよび後鍔１１ｂ，１１ｂの間にそれぞれ嵌まり込む。すなわち、短嵌り部１６，１６は、前鍔１１ａ，１１ａにおける前端部および後鍔１１ｂ，１１ｂにおける後端部によって狭持された状態となる。長嵌り部１７，１７は、左鍔１１ｃ，１１ｃおよび右鍔１１ｄ，１１ｄの間にそれぞれ嵌まり込む。すなわち、長嵌り部１７，１７は、左鍔１１ｃ，１１ｃにおける左端部および右鍔１１ｄ，１１ｄにおける右端部によって狭持された状態となる。このため、底板１０を、便器本体８に対してより大きな強度で固定することが可能となる。
【００３６】
また、前鍔１１ａと前鍔１１ａとの間に短嵌り部１６が嵌り込むことで、前鍔１１ａと前鍔１１ａとが互いに近づく方向に変形することを防止できる。後鍔１１ｂ，１１ｂ、左鍔１１ｃ，１１ｃおよび右鍔１１ｄ，１１ｄも同様に互いに近づく方向に変形することを防止できる。つまり、内枠１１の強度を向上させることができる。なお、底板１０を複両面段ボールや複々両面段ボールにより構成した場合には、底板１０を両面段ボールで構成した場合に比べて短嵌り部１６，１６および長嵌り部１７，１７の強度が向上する。つまり、前鍔１１ａ，１１ａ、後鍔１１ｂ，１１ｂ、左鍔１１ｃ，１１ｃおよび右鍔１１ｄ，１１ｄが互いに近づく方向に変形することをより強固に防止でき、内枠１１の強度の向上を図ることができる。
【００３７】
なお、横板２０および縦板２１のそれぞれは、中芯９ａが上下方向に沿って貫通するように配置された複両面段ボールにより構成されている。このため、両面段ボールを使用する場合と比較して、内枠１１の上下方向に対する強度を向上させることができる。なお、横板２０および縦板２１を複々両面段ボールにより構成するようにしても良い。内枠１１の強度をより向上させることができる。
【００３８】
図１０は、便座６の構成を示す平面図である。便座６は、便座構成板６ａ，６ｂとを有する。上段は中芯９ａが縦方向に沿って貫通するように配置されている便座構成板６ａを示す図であり、下段は中芯９ａが横方向に沿って貫通するように配置されている便座構成板６ｂを示す図である。便座構成板６ａ，６ｂの外形形状は同一の形状に形成されている。
【００３９】
図３に示すように、便座６は、便器本体８の上方の開口部を塞ぐように配置される。具体的には、図４および図５に示すように、便器本体８の内側に内枠１１が設置された状態で、便器本体８および内枠１１の上方に便座６が配置される。図１０に示すように、便座６は外形が略８角形の円環状の形態を有している。この便座６の略８角形の外形形状は便器本体８の形状と対応するように形成されている。図１０に示すように、便座６の中央には楕円状の楕円孔２４が設けられている。該楕円孔２４により便器台４の開口部３が形成される。便座６の前端部と後端部の左右方向略中央には内側に向かって矩形状に切り欠かれた短凹段部２５，２５が形成されている。この短凹段部２５，２５は、便器本体８の幅広板１３Ａ,１３Ｂに形成される嵌込部１４Ａ，１４Ｂと対応するような寸法に形成されている。すなわち、便座６を便器本体８の上方に配置すると、短凹段部２５，２５には、嵌込部１４Ａ，１４Ｂが嵌まり込むような構成となっている。一方、便座６の左端部と右端部の前後方向略中央には内側に向かって矩形状に切り欠かれた長凹段部２６，２６が形成されている。この長凹段部２６，２６は、便器本体８の幅広板１３Ｂ,１３Ｃに形成される嵌込部１４Ｃ，１４Ｄと対応するような寸法に形成されている。すなわち、便座６を便器本体８の上方に配置すると、長凹段部２６，２６には、嵌込部１４Ｃ，１４Ｄが嵌まり込むような構成となっている。長凹段部２６，２６は、短凹段部２５，２５よりも若干大きな幅寸法を有する。
【００４０】
また、便座６の後端部の左右両側には前方に向かって溝状に切り欠かれた２つの溝部２７，２７が設けられている。該溝部２７，２７は、内枠１１の支持部２２，２２と対応する位置に形成されている。すなわち、便座６を便器本体８の上方に配置すると、この溝部２７，２７には、支持部２２，２２の一部が嵌まり込むような構成となっている。便座構成板６ａ，６ｂのうち一方の便座構成板６ａには、図１０上段に示すように、段ボールの中芯９ａが縦方向に沿って貫通するように配置されている。また、他方の便座構成板６ｂには、図１０下段に示すように、段ボールの中芯９ａが横方向に沿って貫通するように配置されている。このため、便座６を便器本体８の上方に重ねて配置した状態では、２枚の便座構成板６ａ，６ｂの中芯９ａの貫通方向は互いに交差することになる。その結果、便座６の面に対して上下方向に直交する方向の強度を高くすることができる。
【００４１】
上述したように、便器本体８の上方には便座６が重ねて配置される。この際、短凹段部２５，２５に嵌込部１４Ａ，１４Ｂが嵌まり込むとともに、長凹段部２６，２６に嵌込部１４Ｃ，１４Ｄが嵌まり込む。このように、短凹段部２５，２５に嵌込部１４Ａ，１４Ｂが嵌まり込み、長凹段部２６，２６に嵌込部１４Ｃ，１４Ｄが嵌まり込むことで、便座６の便器本体８に対する横方向および前後方向への位置ずれが防止される。また、溝部２７，２７にも、支持部２２，２２の一部が嵌り込むため、便座６をより安定した状態で便器本体８の上方に配置することができる。便座構成板６ａ，６ｂは、複両面段ボールにより構成されている。このため、両面段ボールを使用する場合と比較して、便座６の強度を向上させることができる。なお、便座構成板６ａ，６ｂを複々両面段ボールにより構成するようにしても良い。便座６の強度をより向上させることができる。
【００４２】
図１１は、蓋体２の構成を示す平面図である。
【００４３】
蓋体２は略８角形の平板状の形態を有している。具体的には、便器台４に形成される開口部３を塞ぐ部分となる平板状の塞ぎ部３０と、塞ぎ部３０から後方に向かって略矩形状に突出する取付部３１と、取付部３１から左右両側に向かって凸状に突出する軸部３２，３２とを有する。塞ぎ部３０の形状は、便器本体８の形状と一致するように形成されている。具体的には、塞ぎ部３０は、該塞ぎ部３０の前方に位置する前端面３０ａの幅寸法と幅広板１３Ａの幅寸法とが同一の寸法を有するように形成されている。また、塞ぎ部３０の左右の端面３０ｂ，３０ｂの幅寸法と幅広板１３Ｃ，１３Ｄの幅寸法とが同一の寸法を有するように形成されている。また、塞ぎ部３０の前方における左右においてテーパ状に設けられる傾斜面３０ｃ，３０ｃは、便器本体８の前方の２つの幅狭板１８と対応するように形成されている。
【００４４】
軸部３２，３２は、左右方向に向かって対向して突出しており、該軸部３２，３２が内枠１１を構成する支持部２２の円孔２２ｂ，２２ｂに挿入される。このような構成により、蓋体２は円孔２２ｂの中心軸線を中心として内枠１１に対して相対的に回動可能となる。蓋体２は、２枚の複両面段ボールを積層して構成されている。このため、蓋体２はある程度大きな強度を有するような構成とされている。なお、蓋体２の構成は当該構成に限定されるものではなく、たとえば、２枚の両面段ボールや複々両面段ボールを積層させて構成しても良いし、これらの段ボールを３枚以上積層させて構成するようにしても良い。また、１枚の複々両面段ボールから構成するようにしても良い。
【００４５】
次に、トイレ１の組み立て方法について説明する。
【００４６】
まず、図９に示すように、切り込み２０ａおよび切り込み２１ａを介して横板２０と縦板２１とを嵌め合わせて内枠１１を形成する。次に、図６に示すように、便器本体８の上方から内枠１１を該便器本体８の内側に挿入させて、該内枠１１を便器本体８の内側に配置させる。
【００４７】
次に、短嵌り部１６，１６および長嵌り部１７，１７が便器本体８の内側に嵌まり込む形態で、底板１０を便器本体８の下側に配置させる。具体的には、短嵌り部１６，１６が、前鍔１１ａ，１１ａおよび後鍔１１ｂ，１１ｂの間に嵌まり込むとともに、長嵌り部１７，１７が、左鍔１１ｃ，１１ｃおよび右鍔１１ｄ，１１ｄの間に嵌まり込むように、底板１０を便器本体８の下方に配置させる。
【００４８】
次に、短凹段部２５，２５に嵌込部１４Ａ，１４Ｂが嵌り込むとともに、長凹段部２６，２６に嵌込部１４Ｃ，１４Ｄが嵌まり込むような形態で、便座６を便器本体８の上方に配置させる。この際、溝部２７，２７に、支持部２２，２２の一部が嵌まり込むようにする。次に、軸部３２，３２を円孔２２ｂ，２２ｂに挿入させて、蓋体２を内枠１１に対して回動可能に取り付ける。さらに、図２に示すように、収集袋５を便座６の表面を覆うように、収納空間７の内側に配置させる。以上のようにして、トイレ１の組み立てが完了する。
【００４９】
以上のように構成されたトイレ１では、内枠は、格子状に組まれている。このため、内枠１１の上下方向の強度を高くすることができる。その結果、トイレ１の便座６に使用者が座り、下方に向かって荷重がかかった場合でも、トイレ１は該荷重に耐えることができる。
【００５０】
また、トイレ１では、内枠１１に形成される格子が上方に向かって開口するように構成されている。このため、内枠１１の開口部を収納空間７として使用することが可能となり、内枠１１内に尿や大便の収容場所を確保することが可能となる。更に、収納空間７の外側には、内枠１１と便器本体８との間に空間３３（図４参照）が形成されている。したがって、この空間３３を予備の収納袋５等の備品を収納するための物品収納用の空間として利用することができる。
【００５１】
また、トイレ１では、内枠１１は、中芯９ａが上下方向に沿って貫通するような構成とされている。このため、内枠１１の上下方向に対する強度を高くすることができる。また、内枠１１を構成する横板２０および縦板２１は、複両面段ボールにより形成されている。このため、両面段ボールを使用する場合と比較して、内枠１１の上下方向に対する強度を向上させることができる。また、内枠１１には、使用者の体重が掛かる割合が高くなるため、内枠１１を複両面段ボールにより形成することで、トイレ１の強度を効果的に高めることが可能となる。また、本実施の形態では、便器本体８は両面段ボールから形成されているため、内枠１１に比べて使用者の体重が掛かる割合が低い便器本体８を両面段ボールにより形成することで、コストを抑えつつ、効果的にトイレ１の強度を向上させることができる。
【００５２】
また、トイレ１では、２枚の便座構成板６ａ，６ｂのうち一方の便座構成板６ａは、段ボールの中芯９ａが縦方向に沿って貫通するように構成され、他方の便座構成板６ｂは、段ボールの中芯９ａが横方向に沿って貫通するように構成されている。このため、２枚の便座構成板６ａ，６ｂの中芯９ａの貫通方向は互いに交差するような構成となる。したがって、便座６の面に対して上下方向に直交する方向の強度を高くすることができる。また、便座構成板６ａ，６ｂは、複両面段ボールにより構成されているため、両面段ボールを使用する場合と比較して、便座６の強度を向上させることができる。
【００５３】
また、トイレ１では、蓋体２は２枚の段ボールを積層して構成されている。このため、蓋体２の強度を高めることができる。また、２枚の段ボールを重ねることにより蓋体２の重さを大きくすることができるため、蓋体２を便座６に重ねて配置させ、便器台４（便座６）の開口部３を閉じたときに、便座６との密閉性を高めることができる。
【００５４】
また、トイレ１では、便器本体８を８角形の筒形状に構成されている。このため、便器台４の安定性を高めることができるとともに、使用者のトイレ１への座り心地を良くすることができる。
【００５５】
また、トイレ１では、便座６の短凹段部２５，２５に便器本体８の嵌込部１４Ａ，１４Ｂが嵌り込むとともに、長凹段部２６，２６に嵌込部１４Ｃ，１４Ｄが嵌まり込むような構成とされている。このため、便座６を便器本体８の上に配置した状態において、便座６の便器本体８に対する横方向の位置ずれを防止することができる。
【００５６】
また、トイレ１では、内枠１１を便器本体８の内側に配置した際、内枠１１の各鍔１１ａ〜１１ｄが便器本体８の各境界部１９Ａ〜１９Ｈの内側面に当接するような構成とされている。このため、便器本体８を８角形の状態に確実に維持させることが可能となる。
【００５７】
また、トイレ１では、底板１０を便器本体８の下側に配置した状態では、短嵌り部１６，１６が、前鍔１１ａ，１１ａおよび後鍔１１ｂ，１１ｂの間にそれぞれ嵌まり込むとともに、長嵌り部１７，１７が、左鍔１１ｃ，１１ｃおよび右鍔１１ｄ，１１ｄの間にそれぞれ嵌まり込む。このため、底板１０を、便器本体８に対してより大きな強度で固定することが可能となる。
【００５８】
また、トイレ１では、蓋体２を支持する支持部２２は、内枠１１を構成する縦板２１に設けられている。このため、蓋体２を支持する支持部２２を別体として設ける必要がなくなり、トイレ１をより簡易な構造とすることができる。
【００５９】
また、便器本体８は、底板１０の上面に載置されている。すなわち、トイレ１を設置する床面等と便器本体８の下端縁との間には底板１０が介在する。底板１０が介在することで、床面等の水分が便器本体８に付着し難くなる。便器本体８は段ボールであるため、水分が吸収されると強度が著しく低下する。しかしながら、便器本体８が底板１０の上面に載置され、床面等の水分が便器本体８に付着することが防止されることで、便器本体８の強度を維持することができる。また、内枠１１も底板１０の上面に載置されている。このため、床面等の水分が内枠１１に付着し難くなり、内枠１１の強度を維持することができる。なお、底板１０の四つ角１０Ａが幅狭板１８の外側に向かって露出していることで、便器本体８を底板１０の上面に確実に載置することができる。
【００６０】
以上、本考案の各実施の形態について説明したが、本考案は上述の形態に限定されることなく、種々変形した形態にて実施可能である。
【００６１】
上述の実施の形態では、内枠１１は井形状の格子形状に形成されているが、内枠１１の形状は井形状に限定されるものではない。たとえば、収納空間７が３角形、４角形、５角形、６角形等の形状となるように内枠１１を構成する板体を構成しおよび組み合わせてもよい。また、横板２０の前後（横板２０と幅広板１３Ａとの間、および横板２０と幅広板１３Ｂとの間）にさらに横板を配置したり、あるいは縦板２１の左右（縦板２１と幅広板１３Ｃとの間、および縦板２１と幅広板１３Ｄとの間）にさらに縦板を配置してもよい。このように構成することで、さらに内枠１１の強度を向上させることができる。
【００６２】
また、上述の実施の形態では、便器本体８は、８角形の断面を有する筒形状を呈しているが、便器本体８の断面形状を他の多角形や楕円形等他の形状としても良い。
【００６３】
また、上述の実施の形態では、トイレ１は段ボールにより形成されているが、トイレ１を板紙等の他の材料により形成するようにしても良い。
【００６４】
また、上述の実施の形態では、底板１０は四角形の形状に形成されているが、底板１０の形状は当該形状に限定されるものではなく、便器本体８の形状に対応するような８角形の形状に形成するようにしても良い。
【００６５】
また、上述の実施の形態では、横板２０に下方から上方に向かう切り込み２０ａを形成するとともに、縦板２１に上方から下方に向かう切り込み２０ｂを形成することで、内枠１１を組み立て可能な構成としているが、このような構成に限定されず、横板２０に上方から下方に向かう切り込み２０ａを形成するとともに、縦板２１に下方から上方に向かう切り込み２０ｂを形成して内枠１１を構成しても良い。
【００６６】
また、上述の実施の形態では、便座６は２枚の便座構成板６ａ，６ｂを重ねて配置させることにより構成されているが、このような構成に限定されるものではなく、１枚の便座構成板から構成しても良いし、３枚以上の便座構成板を重ねて配置させて構成するようにしても良い。３枚以上の便座６を配置する構成とする場合、少なくとも１対となる２枚の便座構成板の中芯９ａの貫通方向を交差させるようにすることが好ましい。
【符号の説明】
【００６７】
１…トイレ、２…蓋体、３…開口部、５…収集袋、６…便座、７…収納空間（物品収納用の空間）、８…便器本体、９ａ…中芯、１０…底板、１１…内枠、２０…横板（板体）、２１…縦板（板体）
【図１】
0003171278.tif 000003
【図２】
0003171278.tif 000004
【図３】
0003171278.tif 000005
【図４】
0003171278.tif 000006
【図５】
0003171278.tif 000007
【図６】
0003171278.tif 000008
【図７】
0003171278.tif 000009
【図８】
0003171278.tif 000010
【図９】
0003171278.tif 000011
【図１０】
0003171278.tif 000012
【図１１】
0003171278.tif 000013